(57)【要約】【課題】光学系を薄型化し、且つ各部品のリペア及び交換を容易にした光学系を備えた原子発振器を提供する。【解決手段】この光学系１は、波長が異なるコヒーレント光としての２種類の共鳴光を入射したときの量子干渉効果による光吸収特性を利用して発振周波数を制御する原子発振器１００の光学系１であって、ガス状の金属原子を封入したガスセル３と、ガスセル３中の金属原子に共鳴光を供給するコヒーレント光源２と、コヒーレント光源２から発光された光をガスセル３に導く第1の導光手段９と、ガスセル３を透過した透過光６を光検出器４に導く第２の導光手段８と、第２の導光手段８により導かれた透過光６ａを検出する光検出器（光検出手段）４と、光検出器４から検出された信号により、発振周波数を制御する周波数制御回路５と、を備えて構成されている。【選択図】図１
2009049623.tif 000002
【特許請求の範囲】
【請求項１】
波長が異なるコヒーレント光としての２種類の共鳴光を入射したときの量子干渉効果による光吸収特性を利用して発振周波数を制御する原子発振器の光学系であって、
ガス状の金属原子を封入したガスセルと、該ガスセル中の金属原子に前記共鳴光を供給するコヒーレント光源と、前記ガスセルを透過した光を検出する光検出手段と、前記コヒーレント光源から発光された光を前記ガスセルに導く第1の導光手段と、前記ガスセルを透過した光を前記光検出手段に導く第２の導光手段と、を備え、
前記コヒーレント光源、前記ガスセル、及び前記光検出手段を同一平面上の面方向に沿って順次配置したことを特徴とする原子発振器。
【請求項２】
波長が異なるコヒーレント光としての２種類の共鳴光を入射したときの量子干渉効果による光吸収特性を利用して発振周波数を制御する原子発振器の光学系であって、
ガス状の金属原子を封入したガスセルと、該ガスセル中の金属原子に前記共鳴光を供給するコヒーレント光源と、前記ガスセルを透過した光を検出する光検出手段と、を備え、
前記コヒーレント光源と前記光検出手段とを対向配置したことを特徴とする原子発振器。
【請求項３】
前記コヒーレント光源、前記ガスセル、及び前記光検出手段を同一平面上に併置する基板を備え、該基板の適所に開口部又は透明部を設け、前記コヒーレント光源、又は／及び、前記光検出手段を該基板の前記平面とは反対面に配置し、前記開口部又は透明部を介して発光及び受光を行なうことを特徴とする請求項１に記載の原子発振器。
【請求項４】
前記コヒーレント光源から発光された光を集光し、且つ平行光に補正する受動光学素子を前記第1の導光手段と前記ガスセルの間に配置したことを特徴とする請求項１又は３に記載の原子発振器。
【請求項５】
前記受動光学素子を前記コヒーレント光源と前記第１の導光手段との間に配置したことを特徴とする請求項１又は３に記載の原子発振器。
【請求項６】
前記第１の導光手段及び前記第２の導光手段に光軸調整機構を備えたことを特徴とする請求項１、３、４又は５に記載の原子発振器。
【請求項７】
前記第１の導光手段及び前記第２の導光手段は、ミラー、回析格子、コーナーキューブプリズム、光ファイバ、又は光導波路であることを特徴とする請求項１、３、４、５又は６に記載の原子発振器。
【請求項８】
前記コヒーレント光は、レーザ光であることを特徴とする請求項１乃至７の何れか一項に記載の原子発振器。
【請求項９】
前記ガス状の金属原子は、ルビジウム、又はセシウムであることを特徴とする請求項１乃至８の何れか一項に記載の原子発振器。
【発明の詳細な説明】
【技術分野】
【０００１】
本発明は、原子発振器に関し、さらに詳しくは、原子発振器を構成する光学系の薄型化技術に関するものである。
【背景技術】
【０００２】
ルビジウム、セシウム等のアルカリ金属を用いた原子発振器は、原子のエネルギ遷移を利用する際に、原子をガス状態に保つ必要があるため、原子を気密封入したガスセルを高温に保って動作させている。原子発振器の動作原理は、光とマイクロ波を利用した二重共鳴法と、２種類のレーザ光による量子干渉効果（以下ＣＰＴ：Coherent Population Trappingと記す）を利用する方法に大別されるが、両者共にガスセルに入射した光が、原子ガスにどれだけ吸収されたかを反対側に設けられた検出器で検出することにより、原子共鳴を検知して制御系にて水晶発振器などの基準信号をこの原子共鳴に同期させて出力を得ている。ここで、ＣＰＴを利用した原子発振器は、発光素子、ガスセル、及び受光素子を一体的に構成して光学系を形成している（特許文献１参照）。
【特許文献１】ＵＳ６８０６７８４Ｂ２
【発明の開示】
【発明が解決しようとする課題】
【０００３】
しかし、特許文献１に開示されている従来の光学系の構成では、図７に示すように発光素子３３、受動光学素子３４、ガスセル３５、及び受光素子３０が縦積みに配置されている。このため、最上面に配置した受光素子３０を電気的に接続するワイヤボンディング３１が長くなり、モジュールの実装が複雑となるといった問題と、受光素子３０から得られる信号が微弱なため、ノイズの影響を受けやすくなりＳ／Ｎ特性が良くないといった問題があった。また、各部品を積み重ねるため、光学系の高さが高くなり小型化、薄型化に対して課題があった。更に、各部品を積み重ねて、ワイヤボンディング３１を完了した後に光学系の調整を行なうため、発光素子３３と受光素子３０の光軸がずれていた場合、或いはどれかの部品が不良の場合には、再度ワイヤボンディング３１を取り外して、最初から部品の組付けを行なわなければならず、リペア、部品交換に時間が掛かり煩わしかった。
本発明はかかる課題に鑑み、発光素子、ガスセル、及び受光素子を同一平面上の面方向に沿って順次配置し、第１の導光手段と第２の導光手段により光を屈曲することにより、光学系を薄型化し、且つ各部品のリペア及び交換を容易にした光学系を備えた原子発振器を提供することを目的とする。
また他の目的は、受光素子を電気的に接続するワイヤボンディングを短くしてモジュール実装を容易とし、且つＳ／Ｎを改善することである。
【課題を解決するための手段】
【０００４】
本発明はかかる課題を解決するために、波長が異なるコヒーレント光としての２種類の共鳴光を入射したときの量子干渉効果による光吸収特性を利用して発振周波数を制御する原子発振器の光学系であって、ガス状の金属原子を封入したガスセルと、該ガスセル中の金属原子に前記共鳴光を供給するコヒーレント光源と、前記ガスセルを透過した光を検出する光検出手段と、前記コヒーレント光源から発光された光を前記ガスセルに導く第１の導光手段と、前記ガスセルを透過した光を前記光検出手段に導く第２の導光手段と、を備え、前記コヒーレント光源、前記ガスセル、及び前記光検出手段を同一平面上の面方向に沿って順次配置したことを特徴とする。
本発明の原子発振器は、レーザ光などのコヒーレント光の量子干渉効果を利用したものである。この方式は、２つの基底準位が共鳴光を受けて、共通の励起準位と共鳴結合している３準位系（例えばΛ型準位）において、同時に照射される２つの共鳴光の周波数が正確に基底準位１と基底準位２のエネルギ差に一致すると、この系は２つの基底準位の重ね合わせの状態になり、励起準位３への励起が停止する。ＣＰＴはこの原理を利用して、２つの共鳴光の一方或いは両方の波長を変化させたときに、ガスセルでの光吸収が停止する状態を検出して利用するものである。そして、本発明の光学系は、コヒーレント光源、ガスセル、及び光検出手段を同一平面上の面方向に沿って順次配置し、第１の導光手段と第２の導光手段により光を屈曲する構成とした。これにより、光学系を薄型化し、且つ各部品のリペア、交換を容易に行なうことができる。
【０００５】
また、波長が異なるコヒーレント光としての２種類の共鳴光を入射したときの量子干渉効果による光吸収特性を利用して発振周波数を制御する原子発振器の光学系であって、ガス状の金属原子を封入したガスセルと、該ガスセル中の金属原子に前記共鳴光を供給するコヒーレント光源と、前記ガスセルを透過した光を検出する光検出手段と、を備え、前記コヒーレント光源と前記光検出手段とを対向するように配置したことを特徴とする。
光学系を薄型化するには、光路上に介在する部品を少なくする必要がある。そのためには、コヒーレント光源から発光された光がガスセルを介して直接光検出手段に入射されるように構成することである。そこで本発明では、コヒーレント光源と光検出手段とを対向するように配置して、コヒーレント光源と光検出手段との間にガスセルを配置する構成とした。これにより、部品点数を削減して光学系を更に薄型化することができる。
【０００６】
また、前記コヒーレント光源、前記ガスセル、及び前記光検出手段を同一平面上に併置する基板を備え、該基板の適所に開口部又は透明部を設け、前記コヒーレント光源、又は／及び、前記光検出手段を該基板の前記平面とは反対面に配置し、前記開口部又は透明部を介して発光及び受光を行なうことを特徴とする。
コヒーレント光源、ガスセル、及び光検出手段を同一平面上に併置する基板を備えた場合、コヒーレント光源の発光面と光検出手段の受光面は基板面に対して上側を向くことになる。この配置で光学系を薄型化するためには、ガスセルをコヒーレント光源と光検出手段との間に配置すると共に、上側に発光された光を屈曲してガスセルに入射させ、ガスセルからの透過光を更に屈曲して光検出手段に導く必要がある。このとき、コヒーレント光源、及び光検出手段を基板の表面に実装した場合、その部品の高さだけ全体の高さが高くなる。そこで本発明では、基板の適所に開口部又は透明部を設け、コヒーレント光源、又は／及び、光検出手段を基板の同一平面と反対面に配置する。これにより、基板上の部品の高さを極力低くすることができる。
【０００７】
また、前記コヒーレント光源から発光された光を集光し、且つ平行光に補正する受動光学素子を前記第１の導光手段と前記ガスセルの間に配置したことを特徴とする。
光学系には、コヒーレント光源から発光された光を集光して、平行光になるように補正するためにレンズや波長板といった受動光学素子が使用される。この受動光学素子は、ガスセルに入射する前であればどこに配置しても構わない。そこで本発明では、受動光学素子を第１の導光手段とガスセルとの間に配置する。これにより、受動光学素子を備えても、光学系全体が高くなることを極力抑えることができる。
【０００８】
また、前記受動光学素子を前記コヒーレント光源と前記第１の導光手段との間に配置したことを特徴とする。
受動光学素子を第１の導光手段とガスセルとの間に配置すると、光学系の高さは抑えることができるが、基板の幅が大きくなる可能性がある。そこで本発明では、受動光学素子をコヒーレント光源と第１の導光手段との間に配置する。これにより、基板の幅方向の大きさを抑えることができる。
【０００９】
また、前記第１の導光手段及び前記第２の導光手段に光軸調整機構を備えたことを特徴とする。
コヒーレント光源から発光した光は、第１の導光手段及び第２の導光手段を介して光検出手段に到達する。このとき、各部品の取り付け誤差等により、光軸がずれた場合、光がガスセルに入射しなかったり、或いは、ガスセルからの透過光が光検出手段に到達しない不具合が発生する。そこで本発明では、第１の導光手段及び第２の導光手段に光軸調整機構を備える。これにより、光軸のずれを容易に調整することができる。
【００１０】
また、前記第１の導光手段及び前記第２の導光手段は、ミラー、回析格子、コーナーキューブプリズム、光ファイバ、又は光導波路であることを特徴とする。
本発明の光学系は、光源から放射されたコヒーレント光をガスセルに透過させ、その透過光を光検出手段に受光させる必要がある。そのためには、透過光を反射、又は回折、又は屈折、又は導光する必要がある。反射にはミラー、回折には回折格子、屈折にはコーナーキューブプリズム、導光には光ファイバ又は光導波路が最適である。これにより、光学系の導光手段を目的、構成により最適なものを選択することができる。
【００１１】
また、前記コヒーレント光は、レーザ光であることを特徴とする。
普通の光は、いろいろな波長が混ざり位相がランダムな光である。これに対してレーザ光は波長の単色性が良く、位相の揃った光である。このような光の波長や位相の安定性の尺度としてコヒーレンスが定義されている。コヒーレンスが良い、すなわち波長や位相が安定な光は量子干渉効果を起こすことができる。その点ではレーザ光は最適である。
【００１２】
また、前記ガス状の金属原子は、ルビジウム、又はセシウムであることを特徴とする。
セシウム原子を使えば、精度の高い原子発振器を実現できる。また、ルビジウム原子は手軽に広く普及している。よって、原子発振器の要求性能とコストを考慮して、いずれかの金属原子を選ぶことができる。
【発明を実施するための最良の形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係る原子発振器の光学系の要部構成図である。この光学系１は、波長が異なるコヒーレント光としての２種類の共鳴光を入射したときの量子干渉効果による光吸収特性を利用して発振周波数を制御する原子発振器１００の光学系１であって、ガス状の金属原子を封入したガスセル３と、ガスセル３中の金属原子に共鳴光を供給するコヒーレント光源２と、コヒーレント光源２から発光された光をガスセル３に導く第１の導光手段９と、ガスセル３を透過した透過光６を光検出器４に導く第２の導光手段８と、第２の導光手段８により導かれた透過光６ａを検出する光検出器（光検出手段）４と、光検出器４から検出された信号により、発振周波数を制御する周波数制御回路５と、を備えて構成されている。尚、本発明の主旨は、原子発振器を構成する光学系の構成にあるので、原子発振器の周波数制御についての詳細な説明は省略する。
【００１４】
即ち、本実施形態の原子発振器１００は、レーザ光などのコヒーレント光の量子干渉を利用したものである。この方式は、２つの基底準位が共鳴光を受けて、共通の励起準位と共鳴結合している系において、同時に照射される２つの共鳴光の周波数が正確に基底準位１と基底準位２のエネルギ差に一致すると、原子は２つの基底準位の重ね合わせの状態になり、励起準位３への励起が停止する。ＣＰＴはこの原理を利用して、２つの共鳴光の一方或いは両方の波長を変化させたときに、ガスセルでの光吸収が停止する状態を検出して利用するものである（詳細は後述する）。
【００１５】
図２はＣＰＴ方式による原子の３準位系を説明する一例である。原子発振器に用いられるルビジウムやセシウムの基底準位は、核スピン−電子スピン相互作用による超微細構造により２種類の基底準位に分かれている。これらの基底準位の原子は光を吸収して、よりエネルギーの高い準位へ励起する。また、図２の様に２つの基底準位が光を受けて、共通の励起準位と共鳴結合している状態を２光子共鳴と言う。図２において、基底準位１（２３）と基底準位２（２４）は準位のエネルギが若干異なるため、共鳴光もそれぞれ共鳴光１（２０）と共鳴光２（２２）と波長が若干異なる。同時に照射される共鳴光１（２０）と共鳴光２（２２）の周波数差（波長の差）が正確に基底準位１（２３）と基底準位２（２４）のエネルギ差に一致すると、図２の系は２つの基底準位の重ね合わせ状態になり、励起準位２１への励起が停止する。ＣＰＴはこの原理を利用して、共鳴光１（２０）と共鳴光２（２２）のどちらかまたは両方の波長を変化させたときに、ガスセル３での光吸収（つまり励起準位２１への転換）が停止する状態を検出、利用する方式である。
【００１６】
図３は本発明の第１の実施形態に係る光学系１ａの構成を模式化した図である。この光学系１ａは、発光素子（コヒーレント光源）２、ガスセル３、及び受光素子（光検出手段）４を基板１２上の面方向に沿って順次配置し、夫々の素子がワイヤボンディング１４により基板１２に電気的に接続されている。そして、スペーサ１５により所定の距離を確保して、その上に発光素子２から発光されたコヒーレント光を屈曲させるミラー（第１の導光手段）１６と、ミラー１６により屈曲された光を集光したり、平行光にしたり、偏光状態を変えたりできる受動光学素子１７を備え、ミラー１６と受動光学素子１７を一体構成として１つのモジュールとしている。そして、受動光学素子１７から出射された光１１ｂは、ガスセル３を通過し、その透過光がミラー（第２の導光手段）１９により屈曲されて受光素子４により受光される。ミラー１９と受光素子４を一体構成として１つのモジュールとしている。従って、基板１２上には３つのモジュールが実装されている。尚、発光素子２として面発光型レーザ（ＶＣＳＥＬ）、受光素子としてフォトダイオードが良く使用される。従って、本実施形態の光学系１は、コヒーレント光源２、ガスセル３、及び光検出器４を同一平面上の面方向に沿って順次配置し、ミラー１６とミラー１９により透過光を屈曲する構成とした。これにより、光学系１を薄型化し、且つ各モジュールのリペア、部品交換を容易に行なうことができる。また、光学系には、コヒーレント光源２から発光された光を集光したり、平行光にしたり、偏光状態を変えたりできる受動光学素子１７が使用される。この受動光学素子１７は、ガスセル３に入射する前であればどこに配置しても構わない。そこで本実施形態では、受動光学素子１７をミラー１６とガスセル３との間に配置する。これにより、受動光学素子１７を備えても、光学系１ａ全体が高くなることを極力抑えることができる。
【００１７】
図３により概略動作について説明する。発光素子２から発光されたコヒーレント光１１ａは、ミラー１６により９０度に屈曲されて受動光学素子１７により集光、平行光、偏光された光１１ｂに補正されてガスセル３に入射する。ガスセル３は２つの波長を有するコヒーレント光１１ａの一方或いは両方の波長を変化させたときに、光吸収が停止するように動作する。ガスセル３を通過した透過光はミラー１９により９０度に屈曲されて、透過光１１ｃとして受光素子４により受光される。
尚、本実施形態のコヒーレント光は、レーザ光を使用している。レーザ光は波長の単色性がよく、位相の揃った光である。このような光の波長や位相の安定性の尺度としてコヒーレンスが定義されている。コヒーレンスがよい、すなわち波長や位相が安定な光は量子干渉効果を起こすことができる。その点でレーザ光は最適である。また、ガスセル３に使用するガス状の金属原子は、ルビジウム、又はセシウムである。例えば、１次原子標準器に使われるセシウム原子を使えば、精度の高い原子発振器を実現できる。また２次標準器で使われるルビジウム原子は手軽に広く普及しているため、これを使えば小型で低価格な原子発振器を実現できる。従って、金属原子に何を用いるかは、使用目的により選択すればよい。なお、本実施例ではルビジウム、セシウムを用いたが、３準位系を持った原子であればどのような原子であっても構わない。
【００１８】
図４は、本発明の第２の実施形態に係る光学系１ｂの構成を模式化した図である。同じ構成要素には図３と同じ参照番号を付して説明する。図４が図３と異なる点は、基板１２の適所に開口部又は透明部１０を設け、発光素子２、又は／及び、受光素子４を基板１２の同一平面と反対面に配置し、開口部又は透明部１０を介して発光及び受光を行なう点である。
即ち、発光素子２、ガスセル３、及び受光素子４を同一平面上に併置する基板１２を備えた場合、発光素子２の発光面と受光素子４の受光面は基板面に対して上側を向くことになる。この配置で光学系を薄型化するためには、ガスセル３を発光素子２と受光素子４との間に配置すると共に、上側に発光された光を屈曲させてガスセル３に入射させ、ガスセル３からの透過光を更に屈曲して受光素子４に導く必要がある。このとき、発光素子２、及び受光素子４を基板１２の表面に実装した場合、その部品の高さだけ全体の高さが高くなる。そこで本実施形態では、基板１２の適所に開口部又は透明部１０を設け、発光素子２、又は／及び、受光素子４を基板１２の同一平面と反対面に配置する。これにより、基板１２上の部品の高さを極力低くすることができる。
また、基板１２をガラス板としても、同様の効果が得られる。
【００１９】
図５は、本発明の第３の実施形態に係る光学系１ｃの構成を模式化した図である。同じ構成要素には図３と同じ参照番号を付して説明する。図５が図４と異なる点は、受動光学素子１７を発光素子２とミラー１６の間に配置した点である。即ち、受動光学素子１７を図３のようにミラー１６とガスセル３との間に配置すると、光学系１の高さは抑えることができるが、基板１２の幅が大きくなる可能性がある。そこで本実施形態では、受動光学素子１７を発光素子２とミラー１６との間に配置する。これにより、基板１２の幅方向の大きさを抑えることができる。
また、発光素子２から発光した光は、ミラー１６、１９を介して受光素子４に到達する。このとき、各部品の取り付け誤差等により、光軸がずれた場合、光がガスセル３に入射しなかったり、或いは、ガスセル３からの透過光が受光素子４に到達しない不具合が発生する。そこで、ミラー１６、１９に光軸調整機構を備えることにより、光軸のずれを容易に調整することができる。
なお、従来例では、全てを組上げないと光軸がずれているか分からないが、本構成では最後にミラー及び受動光学素子モジュールを光軸調整しながら基板に搭載することができる。
【００２０】
図６は、本発明の第４の実施形態に係る光学系１ｄの構成を模式化した図である。同じ構成要素には図３と同じ参照番号を付して説明する。この光学系１ｄは、ガス状の金属原子を封入したガスセル３と、ガスセル３中の金属原子に共鳴光を供給する発光素子２と、ガスセル３を通過した透過光を検出する受光素子４と、を備え、発光素子２と受光素子４とを対向するように配置した。尚、発光素子２と受光素子４とを対向するように配置するために、夫々の部品を基板１２に対して直交させる小基板１２ａ、１２ｂを用意する。
即ち、光学系１ｄを薄型化するには、光路上に介在する部品を少なくする必要がある。そのためには、発光素子２から発光された光がガスセル３を介して直接受光素子４に入射されるように構成することである。そこで本実施形態では、発光素子２と受光素子４とを対向するように配置して、発光素子２と受光素子４との間にガスセル３を配置する構成とした。これにより、部品点数を削減して光学系１ｄを更に薄型化することができる。
【００２１】
以上の説明では、導光手段としてミラーについて説明したが、導光手段として、ミラー、回析格子、コーナーキューブプリズム、光ファイバ、又は光導波路がある。即ち、本発明の光学系は、光源から放射されたコヒーレント光をガスセル３に通過させ、その透過光を受光素子４に受光させる必要がある。そのためには、透過光を反射、又は回折、又は屈折、又は導光する必要がある。反射にはミラー、回折には回折格子、屈折にはコーナーキューブプリズム、導光には光ファイバ又は光導波路が最適である。これにより、光学系の導光手段を目的、構成により最適なものを選択することができる。
回折格子は、プリズムと同じように、色々な波長の混ざった光から特定波長の光を取り出す光学素子である。もともとは細いスリットを多数平行に並べ、そこに光を入射するとスリットを通過した光が回折して広がり、お互いに干渉して特定の角度で特定の波長の光のみが見えることを利用した。現在の回折格子は鏡面加工した金属板に１ｍｍに数千本の溝を平行につくり反射光が干渉し合う事を利用している。この回折格子を回転して入射角と反射角を選択することで特定波長の光を取り出すことができる。
【００２２】
また、コーナーキューブプリズムは、直交した３面の内部全反射を利用してプリズムへ入射する光の方向に関わらず、入射方向へ１８０°折返すプリズムである。
また、光ファイバは、電気信号ではなく、半導体レーザやＬＥＤなどを光源とした光によって信号を伝達する光伝送用の線材である。光ファイバは、石英でできた高屈折率のコア（直径は５０〜６０ミクロン程度）を低屈折率のクラッド層で覆った２重構造をしており、屈折率の違いから、光信号はコアの内部だけで全反射しながら送信される。ただし実際の光ファイバケーブルでは、さらに線を保護するための被覆が最外部に施されている。光ファイバケーブルでは、信号が減衰しにくく、長距離（数十ｋｍ〜数百ｋｍ）にわたり中継なしで信号を伝送できるという特徴がある。
また、光導波路とは、光の屈折率の違いを利用して基板上に光の道を設け、光信号を導くように加工された回路のことである。電気回路中を電子が流れるように、光を回路中に流すという点では、光導波路はいわば光の配線板であるといえる。光導波路は、光屈折率を利用して直進性の高い光を導くという点では光ファイバと同様であるといえるが、光ファイバの様に３次元の繊維構造ではなく、一般に平面構造となっている。
【図面の簡単な説明】
【００２３】
【図１】本発明の実施形態に係る原子発振器の光学系の要部構成図である。
【図２】ＣＰＴ方式による原子の３準位系を説明する図である。
【図３】本発明の第１の実施形態に係る光学系１ａの構成を模式化した図である。
【図４】本発明の第２の実施形態に係る光学系１ｂの構成を模式化した図である。
【図５】本発明の第３の実施形態に係る光学系１ｃの構成を模式化した図である。
【図６】本発明の第４の実施形態に係る光学系１ｄの構成を模式化した図である。
【図７】従来の光学系の構成を示す図である。
【符号の説明】
【００２４】
１  光学系、２  コヒーレント光源、３  ガスセル、４  光検出器、５  周波数制御回路、６  透過光、８、９  導光手段、１００  原子発振器
【図１】
2009049623.tif 000003
【図２】
2009049623.tif 000004
【図３】
2009049623.tif 000005
【図４】
2009049623.tif 000006
【図５】
2009049623.tif 000007
【図６】
2009049623.tif 000008
【図７】
2009049623.tif 000009